(57)【要約】【目的】きちんと結び整容に時間を要し、使用中も時々左右への曲がりを気にし特に夏季は暑苦しいネクタイに代わり、夏季だけでも涼しく、簡易に装着し、第一釦（上釦）を外しても正装であるように見える物を使用したい。【構成】ネクタイの結び目に相当する稍軟質物体３に通風部１，２を設け、上釦４を外しても、強いゴム紐，弱いゴム紐，乗せ掛け部，首回り紐の組合わせ連結により、涼しさを保ちながら正装しているように見せかけ、その下方に下前布１４（下後布は不要）を設け、それら上下部をなるべく軽くし、且エナメルペイント，軟質挟み枠１７を使用した飾り部とする。【選択図】図１
2005194645.tif 000002
【特許請求の範囲】
【請求項１】
上部に通風部（１凹み部，２風孔）を有する稍軟質物体（３，合成樹脂，縫いぐるみ）の両側部（５）からの強いゴム紐（７）の上部の乗せ掛け部（９，布釦等）の先の弱いゴム紐（１１）を首回り紐（１２）に連結し、稍軟質物体の細い部（６）の下に下前布（１４）を吊下げた、胸当て具。
【請求項２】
請求項１記載の稍軟質物体（３），下前布（１４）前面に、マニキュア用エナメル着色部（１５），中央透明膜（１６）を有する軟質挟み枠（１７）を接着した、胸飾り具。
【発明の詳細な説明】
【発明の詳細な説明】
【産業上の利用分野】
【０００１】装身具。
【背景技術】
【０００２】従来、通勤，外勤ビジネスマンは、Ｙシャツの上にネクタイを装着し、形を整えるのに時間がかかり、又特に夏季は首結び部が窮屈で暑苦しく汗が出易い事に対する方策が考えられず、市販商品にも好適な物は無い。
【発明が解決しようとする課題】
【０００３】時間をかけずに装着し得る、ネクタイ風に見える物を考える。
【０００４】風通しよく、涼しくなるようにする。
【０００５】Ｙシャツ前襟上釦４を外しても、ネクタイの結び目に相当する稍軟質物体３が下がらず、ネクタイを正装しているように見せかける。
【０００６】結び目相当部と下の吊り下げ部をなるべく美的に装飾する。
【課題を解決するための手段】
【０００７】首にかけ外しするだけで着脱する稍軟質物体３を用いる。
【０００８】稍軟質物体３に通風部１又は２を設け、首回り紐１２に、強いゴム紐７と弱いゴム紐１１の部を繋ぎ用い、涼しくし得るようにする。
【０００９】強いゴム紐７，弱いゴム紐１１，乗せかけ部９（Ｙシャツの上襟上緑よりに取りつけておく）により涼しくしても正装しているように見せる。
【００１０】結び目相当部となる稍軟質物体３と、下方の下前布１４の片方又は両方の前面に、エナメル着色部又は軟質挟み枠１７の部を設けて、請求項１の胸当て具を請求項２で胸飾り具とする。
【作用】
【００１１】毎回首に結ぶネクタイでは、通風部１，２、ゴム紐７，１１首回り紐１２，乗せ掛け部９，エナメル着色部１５，軟質挟み枠１７を設け得ないが、上部稍軟質物体３ではそれらを設けておいて簡易に着脱し得る。
【００１２】通風部１，２があると、首前で胸前から熱気と汗を発散させて涼しくなり、弱いゴム紐１１はＹシャツの上釦４を外した時に、すでに伸びていた長さが自動的に縮まるので、上釦４を外した部分が少し広がり風通しが良くなる。
【００１３】強いゴム紐７は、乗せ掛け部９に乗せてあると、稍軟質物体３を側上方へ引上げており、上釦４を外して胸前が涼しくなっても稍軟質物体３は下がり落ちず、乗せ掛け部９から外すと稍下がるが、弱いゴム紐１１が稍縮まっているので、大きく下がる事なく、胸前を殆んど正装している様に見せ得る。尚稍下がっても、凹み部１と共に、涼しさを増すためのゆとりある正装と見られ得る。又強いゴム紐７を省き弱いゴム紐１１だけでは稍軟質物体３がぶらぶらして安定せず、強いゴム紐７だけでは上釦４を外しても首前が広がらず涼しくなり得ない。首回り紐１２だけでも、上襟折返し左右先端部２０と２１の広がりを弾力的に調節し得ず、弱いゴム紐１１とを鉤ホックと紐輪４２等で掛け外しする。
【００１４】稍軟質物体３は、硬すぎると（例えば金属）皮ふを傷つけ易く、柔かすぎては下前布１４を吊下げ得ず、通風部１，２の加工も難かしく、強いゴム紐７を取り付け難い。尚縫いぐるみ３にすると、通風部１，２等手作業が多いが、合成樹脂３にすると塩化ビニル，ポリエチレン等に可塑剤を適度に混入して押出し，射出等で量産し易く、又エナメル等の装飾着色も容易である。
【００１５】図１，２で、Ｙシャツ１８の上襟折返し左右先端２０と２１は夏向き用に稍間隔を開けて（上襟先端に横向きに短い延長部２７を設ける。図４）その間隙に通風凹み部１があると、上襟左右先端部２０，２１が近接し過ぎた時の暑苦しさ、窮屈感が減り夏向きのゆとりある清涼感が生まれ、尚上釦４を外して上襟２９の左右先端部２０と２１の間隔がもっと広がり、胸上部との間に風通しよく涼しくなった時も、稍軟質物体３が少し下がった時も、図４の前襟横向き延長部２７はＹシャツ左右の上襟２９，２９と同色（主に白色）で胸前が空き過ぎた時も風通しよくなっても前面の他人から見てあまり開放的でないように見えるので、正装ではない、気の緩んだ服装と見られる事はない。
【００１６】尚上釦４を釦穴２８にはめた時に上襟左右先端部２０と２１の間に間隙の無い、最も正しい正装とするには、図５で、図４の横向き延長部２７よりももっと横長の凹凸接着部（多数の凹部を持つ布に合う多数の凸部を持つ布を合わせて接着し又外す）３１を用い、前襟釦２５を外した時の接着部の長さと涼しさも調節する（凹凸接着布３１の凸部又は凹部４１の位置を点線で示す）。
【００１７】図１，２の上襟左右先端部２０と２１を近接させて、夏季以外の正装とするためには、図４の釦穴２８を上釦４の位置に合わせ、夏季用のＹシャツと夏季以外のＹシャツと別個に用意すればよい。
【００１８】夏季用Ｙシャツと夏季以外のＹシャツを共用するには、図５に示す凹凸接着布３１を用いる。此の凹凸接着布３１は稍軟質物体３を装着中に上釦４を掛け外しするよりも左右の指先の操作が楽である。但し図４でも上釦４のつけ紐を長目にし且釦穴２８を少し横長にすれば図５の凹凸接着布３１を用いなくてもよい。
【００１９】稍軟質物体３の合成樹脂前面の一部又は全部には、主としてマニキュア用のエナメル着色装飾し、又は刺しゅう布を貼布して装飾し、下前布１４前面には、主として中央に透明膜１６を有する軟質挟み枠１７を貼布して、各種の絵画，書，もよう，デザイン，写真，マスコット等を挟み入れ、外し、又はそれらの書画，写真，図案等を記入の紙，合成樹脂等を貼り剥がし接着剤で掲示，表示，適時取換える飾り部又はＰＲ面とし、その一部に光沢あるエナメルを塗布（図１，２の４３等…一例として）し得る。
【００２０】稍軟質物体３の縫いぐるみの外周布部にも絵画の他書等の着色をし、又はそれらの着色，装飾した布，合成樹脂紙，一部にエナメル模様を施した軟質合成樹脂紙を着脱自由に貼布し得る。
【実施例】
【００２１】図３で稍軟質物体３の背面が胸上部に接するほぼ中央には、上釦４が入る背面凹み部２６を設け、その前面には風孔２があり背面凹み部２６からの通風がよくなる。但しこの風孔２は宝石等のはめ込み装飾用として、稍軟質物体３の胸飾り具としての働きを助ける場合もある。【００２２】乗せ掛け部９は稍軟質物体３とその下の下前布１４の重さにより強いゴム紐７の横すべりを防ぐために、具釦よりも上面に摩擦抵抗の多い布釦９を用い、その上面は凹凸面の多く、なるべく横長の物を用いる。尚弱いゴム紐１１の前部には縫い繋ぎ部１０（図１，２に点線で示す）を設ける。【００２３】乗せ掛け部９の負担を軽くするに稍軟質物体３を中空にして重さを軽くする場合もあるが、その時は外周に稍硬い軟質素材を用いる。又下前布１４の後方には布部を吊下げず、下前布１４もあまり長くしない。尚それら上下部もなるべく軽い素材を用いで、細い部６も軽い布、紐で上下を包み合わせ縫合も尚下前布上延長４４をパイプ８に掛吊し下げ下前布１４後面に縫繋ぐ。図３。【００２４】図１には書画，写真等を挟み入れ替えする合成樹脂製の軟質挟み枠１７を貼布し、図２には書画，写真等を則り剥がし自由に掲示する防水加工紙，合成樹脂製の貼り剥がし紙３３を用いる場合で、貼り剥がすには、四隅３４，中間部３５の貼り剥がし部（官庁，銀行の通知書の接着剤を用いる）等を設けて行う。【００２５】００２２と００２３に示す、下前布１４の重さを軽くするため、下前布１４の下辺近くの裏面左右からの短い吊り紐３８、３８で、Ｙシャツ第４釦３９に吊上げ掛け止めて重さを受け止めさせ、下前布１４の裏面上方寄りに貼布の型厚紙（防水紙，稍硬合成樹脂紙）３７からの左右の吊り掛け紐３６，３６を第２釦２５へ、前襟から稍離れる程の長さで浮かし吊下げると、下前布１４の重さは第２釦２５とその上方の稍軟質物体３には僅かしか荷重せず、乗せ掛け部９（布釦等）の上面の強いゴム紐７の横すべりを防ぎ易くする。（２５，３６，３７，３８，３９は下前布１４の裏面にあるので点線で示す…図１，２）
【発明の効果】
【００２６】通勤，外勤ビジネスマン等が、出勤時最も短時間に稍軟質物体３と下前布１４を装着し、特に夏季炎暑の歩行中，室内に入る時汗を拭かずに仕事に入れるように、通風部１，２を設けて涼しくするので庶民が夏季用としてネクタイを結ばずに仕事を果せるようにする一助とし得る。
【図面の簡単な説明】
【００２７】各図で、Ｙシャツ上襟折返し２２の内側の部になる稍軟質物体３の部分，強いゴム紐７，弱いゴム紐１１，首廻り紐１２，下前布１４の裏側，内側の型板紙３７，吊り掛け紐３６，第２釦２５，第３釦３２，第４釦３９，短い吊り紐３８，稍軟質物体３の両側部５と内部のパイプ８，図４の上釦４，図４，５の内側前襟４０，凹凸接着布凹凸４１，図１，２上釦４等を点線で示す。【図１】稍軟質物体３と軟質挟み枠１７のある下前布１４を示す前面図。
【図２】稍軟質物体３と貼り剥がし紙３３のある下前布１４を示す前面図。
【図３】図１のＡ−Ｂ線断面図。
【図４】Ｙシャツ上襟横向き延長部２７を示す前面部分図。
【図５】Ｙシャツ上襟横向き延長部２７の凹凸接着布３１を示す前面図。
【符号の説明】
１‥‥通風部の凹み部
２‥‥通風部の風孔
３‥‥稍軟質物体（合成樹脂，縫いぐるみ）
４‥‥上釦（上襟前部釦で前襟から見て第１釦になる）
５‥‥３の両側部
６‥‥３の細い部（３と１４，４４を縫合）
７‥‥強いゴム紐
８‥‥（５と５を繋ぐ）パイプ（ビニルパイプ等、７を入れ通す）
９‥‥乗せ掛け部
１０‥‥縫い繋ぎ部
１１‥‥弱いゴム紐
１２‥‥首回り紐
１３‥‥（上の３と下の１４と４４の）縫い繋ぐ部（００２３）
１４‥‥下前布
１５‥‥エナメル着色部（図３の）
１６‥‥（１４の）中央透明膜（図１）
１７‥‥軟質挟み枠（図１）
１８‥‥Ｙシャツ
２０，２１‥‥（上襟折返し部の）左右の先端
２２‥‥上襟折返し部
２４‥‥書画，写真等の入る部（図１，３）
２５‥‥（４の下で、前襟の）第２釦
２６‥‥（３の）背面凹み
２７‥‥（Ｙシャツ上襟先端横向きの）延長部
２８‥‥（４の）釦穴
２９‥‥上襟
３０‥‥前襟
３１‥‥凹凸接着布（図５）
３２‥‥第３釦
３３‥‥貼り剥がし紙（３４，３５で貼る）
３４‥‥貼り剥がし部（接着用）四隅）
３５‥‥貼り剥がし部（中間接着用）
３６‥‥（２５への）吊り掛け紐
３７‥‥型厚紙（稍硬い紙）
３８‥‥（３９への）短い吊り紐
３９‥‥第４釦
４０‥‥（内側の）前襟（点線）
４１‥‥（３１の）凸部又は凹部（点線，凹凸）
４２‥‥鉤ホックと紐輪等（１１と１２を掛け外し）
４３‥‥エナメル着色部（図１，２）
４４‥‥１４の上延長（図１，２に前面を短線，後面を点線で示す）
【図１】
2005194645.tif 000003
【図２】
2005194645.tif 000004
【図３】
2005194645.tif 000005
【図４】
2005194645.tif 000006
【図５】
2005194645.tif 000007
【手続補正書】
【提出日】平成16年11月2日(2004.11.2)
【手続補正１】
【補正対象書類名】特許請求の範囲
【補正対象項目名】全文
【補正方法】変更
【補正の内容】
【特許請求の範囲】
【請求項１】
上部に通風部（１凹み部，２風孔）を有する稍軟質物体（３、合成樹脂，縫いぐるみ）の両側部（５）からの強いゴム紐（７）の上部の乗せ掛け部（９、布釦等）の先の弱いゴム紐（１１）を首回り紐（１２）に連結し、稍軟質物体（３）の細い部（６）の下に下前布（１４）を吊下げた、胸当て具。
【請求項２】
裏面に型厚紙（３７）の上部と下部を貼布した下前布（１４）の下部を釦に掛け止めたＹシャツの上部釦（２５）からの稍長目の紐（３６）により浮かし繋いだ下前布（１４）の前面，及びその上延長部（４４）に下部の細い部（６）を繋ぐ稍軟質物体（３）の前面との夫々に、マニキュア用エナメル着色部（１５），中央透明膜（１６）を有する軟質挟み枠（１７）を接着した、胸飾り具。
【手続補正書】
【提出日】平成16年11月5日(2004.11.5)
【手続補正１】
【補正対象書類名】特許請求の範囲
【補正対象項目名】全文
【補正方法】変更
【補正の内容】
【特許請求の範囲】
【請求項１】
上部に通風部（１凹み部，２風孔）を有する稍軟質物体（３、合成樹脂，縫いぐるみ）の両側部（５）からの強いゴム紐（７）の上部の乗せ掛け部（９、布釦等）の先の弱いゴム紐（１１）を首回り紐（１２）に連結し、稍軟質物体（３）の細い部（６）に下に下前布（１４）を吊下げた、胸当て具。
【請求項２】
裏面に型厚紙（３７）の上部と下部を貼布した下前布（１４）の下部を釦に掛け止めたＹシャツの上部釦（２５）からの稍長目の紐（３６）により浮かし繋いだ下前布（１４）の前面、及びその上延長部（４４）に下部の細い部（６）を繋ぐ稍軟質物体（３）の前面との夫々に、マニキュア用エナメル着色部（１５）、中央透明膜（１６）を有する軟質挟み枠（１７）を接着した、胸飾り具。